(57)【要約】      （修正有）【課題】躯体に強固に固着され剥落などが容易に発生せず安全性の高く、新築はもちろん既存壁面の改修にも有効なタイル壁面構造を提供する。【解決手段】施工面に張設されるネット２と、ネット２を施工面に固定する金具６と、この金具６を施工面に埋設するために施工面に形成した溝部５と、金具６を施工面の下地部に固定するために下地部に打ち込まれるアンカーボルト７と、ネット２の張設面に形成される接着剤層３と、この接着剤層３を介して施工面に貼付されるタイル４とを有してなる。【選択図】図１
2015137516.tif 000002
【特許請求の範囲】
【請求項１】
施工面に張設されるネットと、ネットを施工面に固定する金具と、この金具を施工面に埋設するために施工面に形成した溝部と、金具を施工面の下地部に固定するために下地部に打ち込まれるアンカーボルトと、前記ネットの張設面に形成される接着剤層と、この接着剤層を介して施工面に貼付されるタイルとを有してなるタイル壁面構造。
【請求項２】
請求項１記載のタイル壁面構造において、施工面には下地処理層を形成したことを特徴とするタイル壁面構造。
【請求項３】
請求項２記載のタイル壁面構造において、前記下地処理層は断熱材層またはモルタル層であることを特徴とするタイル壁面構造。
【請求項４】
請求項１ないし３いずれか記載のタイル壁面構造において、施工面は既設の壁面であることを特徴とするタイル壁面構造。
【請求項５】
請求項１ないし４いずれか記載のタイル壁面構造において、前記ネットは溝部と前記金具により挟持されることを特徴とするタイル壁面構造。
【請求項６】
請求項１ないし５いずれか記載のタイル壁面構造において、前記金具は施工面にあって、水平方向に取り付けられることを特徴とするタイル壁面構造。
【発明の詳細な説明】
【技術分野】
【０００１】
本願発明は、施工面に固定された金具に係止固定されるネットを介して接着剤により施工面にタイルが張設されるようにしたタイル壁面構造に関するものである。
【背景技術】
【０００２】
従来、タイル壁面の形成に関しては種々の工法が知られている。  例えば、タイル壁面の構築に関しては以下のものが知られている。
すなわち、施工コストの低減や施工効率の向上の見地から、ユニットタイルを用いる工法も従来から多数採用されている。  このような従来のユニットタイルは、所定の目地間隔を置いて配列された多数のタイルの裏面側に合成繊維不織布あるいはネットを配設し、該不織布又はネットの全面にポリマー配合のポルトランドセメント等を含浸させて各タイルを連結して構成されている。
そして、このような従来のユニットタイルによる壁面構築の施工は、先ず建物躯体のコンクリート等の壁面に貼付用のモルタル等の接着剤を所定厚みだけ塗布し、この接着剤層に前記ユニットタイルの裏面側を不織布あるいはネットと共に圧着貼着するようになっている。
【先行技術文献】
【特許文献】
【０００３】
本願技術に関して、以下のような先行技術文献が存在している。
【特許文献１】特開平０５−５７９１０号公報
【特許文献２】特開平０６−２４８７８１号公報
【特許文献３】特開２０００−２１３１８１号公報
【特許文献４】特開２００３−２３９５００号公報
【特許文献５】特開２００７−９２３３１号公報
【発明の開示】
【発明が解決しようとする課題】
【０００４】
しかしながら、従来は、ユニットタイルは個々単独にネット等を介して壁面に貼付されているのみであるため施工面への張付け力が十分でなく、施工面から剥落しやすい、時には落下するという宿命的な欠点を解消することができなかった。
【課題を解決するための手段】
【０００５】
本願発明は、施工面に張設されるネットと、ネットを施工面に固定する金具と、この金具を施工面に埋設するために施工面に形成した溝部と、金具を施工面の下地部に固定するために下地部に打ち込まれるアンカーボルトと、前記ネットの張設面に形成される接着剤層と、この接着剤層を介して施工面に貼付されるタイルとを有してなるタイル壁面構造を提供して、上記従来の課題を解決しようとするものである。
【０００６】
また、上記段落０００５記載のタイル壁面構造において、施工面には下地処理層を形成する構成となすことがある。
【０００７】
さらに、上記段落０００６記載のタイル壁面構造において、前記下地処理層は断熱材層またはモルタル層で構成することがある。
【０００８】
さらにまた、上記段落０００５ないし０００７いずれか記載のタイル壁面構造において、施工面は既設の壁面で構成することがある。
【０００９】
また、上記段落０００５ないし０００８いずれか記載のタイル壁面構造において、前記ネットは溝部と前記金具により挟持される構成となすことがある。
【００１０】
そして、上記段落０００５ないし０００９いずれか記載のタイル壁面構造において、前記金具は施工面にあって、水平方向に取り付けられる構成となすことがある。
【発明の効果】
【００１１】
本願発明は、上記のような構成を有することにより、貼付されたタイルが容易に剥落することのなく安全な壁面を、高い施工性の下に実現でき、壁面構築における全般的なコストの低減が可能である。  また、本願発明は新規な壁面の構築時のみならず、既存の壁面にも適用が容易で、既設壁面の補修、改修に極めて有効である。
【発明を実施するための最良形態】
【００１２】
本願発明において、ネットは従来汎用されている公知の合成樹脂繊維による網目状に形成されたもので、特に接着剤の添加に優れる網の結び目部分が全体的に突起状に形成されているものが望ましいが、接着剤層の保持に適して層の骨筋としてタイル等の裏面と貼付施工面とを緊密に貼り付けできるものであれば十分である。  この種のネットとして、２軸ガラス繊維ネット、３軸塩ビ繊維ネットなど各種のタイル張り用商品が存在しており、これらの中から適宜選択することができる。  なお、ネットは合成繊維のみならず、天然繊維はもちろん各種金属材によるものも使用することができる。
【００１３】
接着剤は、有機弾性接着剤が好ましく、下地の変形や下地―タイル間の熱膨張の差による応力を適正に緩和でき接着力も強靭である。この種の接着剤としては、変形シリコン・エポキシ樹脂系接着剤など各種の商品があり、施工条件に応じた適性を具備したものを選
択する。
【００１４】
本願において、タイルの貼付に関しては、コンクリート、モルタル等の下地面への施工はもちろん、既設のタイル壁面、ALCパネル、セメント成形板等による既設の壁面への施工も可能であり、特に既設タイル壁面の改修に有効である。
【００１５】
また、本願発明において、タイルは種々の陶磁器質タイルを用いることになるが、タイル、接着剤およびその組み合わせについては、全国タイル工業組合による品質認定制度の標準指針の内容に準拠することが望ましい。
【００１６】
金具は、断面コ字形状のアルミの押し出し成形材を使用し、施工面に形成される水平方向の溝部に嵌合されるこの金具は、上下方向において約１．５メートル間隔で施工面に取り付けられるが、その際、ネットは溝部と金具に挟持される状態になる。  金具は、アンカーボルトの打ち込みにより施工面に固定されるが、アンカーボルトの先端は施工面のコンクリート下地などに少なくとも２０ｍｍ以上打ち込むことが望ましい。  
【００１７】
下地処理層は、施工面を水平面に形成することによりこの上に張設するタイルの水平面形成を保持するものであるが、この下地処理層はモルタル層あるいは断熱材層などで形成する。  なお、新設の壁面の場合施工面の下地部が適正な水平面を形成している場合は、下地処理層を形成する必要のない場合がある。
【実施例】
【００１８】
次に、図面に基づいて本願発明に係る第１実施例を説明する。  図１は、本願発明に係るタイル壁面構造の一実施例を示す一部断面図である。  図において、１は施工面の下地部であるコンクリート壁面、２はこのコンクリート壁面に張設されるネットであり、このネット２は接着剤層３によりコンクリート壁面１に固定されている。  ４はネット２の面上に接着剤層３を介してコンクリート壁面１の表面に張設固着されるタイルで、４aはタイル４の目地部である。  
【００１９】
また、図１において、５はコンクリート壁面１に形成された溝部、６は溝部５に嵌合された固定金具で、前記ネット２は溝部５と固定金具６との間で挟持される一方、接着剤層３によりコンクリート壁面１の表面に固着保持されている。  ７は固定金具６を固定するためコンクリート壁面１に打ち込まれたアンカーボルトである。    上述のように、          ネット２は張設されたタイル４を保持することになるから、相応の強度でコンクリート壁面に係止固着する必要がある。  そして、ネット２を壁面に保持するのは主として固定金具６である。  したがって、固定金具６は、前記溝部５にアンカーボルト７で固定を強化されているが、その強度を安全に維持するにはアンカーボルト７は先端が少なくとも２０ｍｍ以上コンクリート壁面１に打ち込む必要がある。
【００２０】
タイル４の張設による壁面構造の施工手順は、まず、コンクリート壁面１の所定位置に溝部５を水平方向に穿設する。  この溝部５は上下方向に複数形成される場合、溝部５相互の間隔はおよそ１５０ｃｍが望ましい。  次いで、溝部５にネット２の一部を挿入しその上に長手状で断面コ字形状の固定金具６を嵌合した後、アンカーボルト７の打ち込みにより固定金具６をコンクリート壁面に固定する。  そして、ネット２表面に接着剤を塗布して接着剤層３を形成して、この表面にタイル４を敷設してタイル壁面を形成していく。
【００２１】
図２は、第２実施例に係るタイル壁面構造を示す一部断面図である。  この実施例では、コンクリート壁面１の表面に下地処理層が形成され、その上面にタイルが張設されている。  すなわち、図において、８はコンクリート壁面１の表面に接着剤により貼付固定された下地処理層としての機能をも具備する断熱材層である。  そして、前記溝部５はこの断熱材層８に形成されるようになっている。  なお、ネット２、接着剤層３、溝部５、固定金具６、アンカーボルト７、壁面を構成するタイル４等の関連構成は、上記第１実施例と同一であるので、重複説明は省略する。  また、施工手順も、始めにコンクリート壁面１に断熱材を貼付することを除き、上記第１実施例の場合と同様である。  
【００２２】
図３は、本願発明の第３実施例に係るタイル壁面構造を示す一部断面図である。この実施例は、既存のタイル壁面上に新たに本願発明に係るタイル壁面構造を構築する例を示している。  すなわち、コンクリート壁面１には既存のタイル壁面が形成されていて、この既存タイル壁面は、コンクリート壁面１表面に形成されたモルタル層８１と、このモルタル層８１上に接着モルタル２１により貼付されたタイル４１による壁面からなっている。  そして、該実施例では、この既存タイル壁面が新規なタイル壁面構築の施工面となる。
【００２３】
図３において、２１は、既存のタイル４１の壁面上に張設されたネットであり、接着剤層３１により係止固着されている。  ネット２１の表面には下地処理層としてのモルタル層８３が形成されている。  そして、２はこのモルタル層８３表面に張設されるネットであり、このネット２は接着剤層３によりモルタル層８３の表面に固定されている。  ４はネット２の表面上に接着剤層３を介してモルタル層８３の表面に張設固着されるタイルで、４aはタイル４の目地部である。  
【００２４】
また、図３において、５はモルタル層８３に形成された溝部、６は溝部５に嵌合された固定金具で、前記ネット２は溝部５と固定金具６との間で挟持される一方、接着剤層３によりモルタル層８３の表面に固着保持されている。  ７は固定金具６を固定するためコンクリート壁面１に打ち込まれたアンカーボルトである。  上述のように、ネット２は張設されたタイル４を保持することになるから、相応の強度でコンクリート壁面に係止固着する必要がある。  そして、ネット２を壁面に保持するのは主として固定金具６である。  したがって、固定金具６は、前記溝部５にアンカーボルト７で固定を強化されているが、その強度を安全に維持するにはアンカーボルト７は先端が少なくとも２０ｍｍ以上コンクリート壁面１に打ち込む必要がある。  なお、この実施例に係る施工手順は、既存タイル壁面にモルタル層８３を形成して後は、前記第１実施例に述べた内容と同一なので、重複説明は省略する。
【００２５】
図４は、本願発明に係るタイル壁面構造の第４実施例を示す一部断面図である。  この実施例も既存のタイル壁面に新規なタイル壁面を構築する例を示している。図において、８４は、下地調整材として既存タイル４１による壁面上に貼付された断熱材層で、ネット２１、接着剤層３１を介して既存タイル壁面に固着されている。  ４は壁面を新設するため断熱材層８４の表面に張設されるタイルで、ネット２および接着剤層３を介して断熱材層８４の表面に貼付されている。  既存タイル４１および断熱材層８４の表面には溝部５，５が穿設され、それぞれの溝部５，５にはネット２１、ネット２を係合した断面コ字状の固定金具６，６が嵌合され、ネット２、２１には接着剤層３，３１が形成されて断熱材層８４を既存タイル４１、４１に、また新設タイル４を断熱材層８４に係止固着している。  なお、固定金具７をアンカーボルト７により固定する構造は上述の各実施例と同様である。  なお、当該実施例では溝部５を断熱材層８４、既存タイル４１にそれぞれ形成しているが、これら溝部を統合して、断熱材層８４から既存タイル４１まで貫通する１個の溝部として形成してここに固定金具を設置してネット２，２１を係合固着するようにしても良い。
【００２６】
図５は、上記各実施例に示した固定金具６を示す、一部切欠斜視図である。  この固定金具６は、アルミ材等の金属材で押し出し成形加工により断面コ字状に形成されている。  各実施例では長手方向が１５０ｃｍ、溝の深さは５−７ｍｍ、溝幅は１０ｍｍとなっている。
【００２７】
図６は、上記各実施例における溝部５、固定金具６、ネット２等の関連構成を示す一部切欠断面図である。  図において、５は例えばコンクリート壁面１に穿設された溝部であり、固定金具６はネット２を押し込むようにして溝部６内に嵌合されている。  不図示であるが、固定金具６はアンカーボルトによりコンクリート壁面１に固定される。  ネット２表面に塗布した接着剤によりタイル４はコンクリート壁面１に貼付固定される。このような構成により、タイルはネット、接着剤を介することにより確実強固にコンクリート壁面に貼付され、ネット自体も固定金具、接着剤により確実にコンクリート壁面に係止されることとなり、構築されたタイル壁面におけるタイルの落下、剥落などを容易に防止することが可能である。
【図面の簡単な説明】
【００２８】
【図１】本願発明の第１実施例を示す一部切欠断面図である。
【図２】本願発明第２実施例を示す一部切欠断面図である。
【図３】本願発明第３実施例を示す一部切欠断面図である。
【図４】本願発明第４実施例を示す一部切欠断面図である。
【図５】固定金具の実施例を示す一部切欠斜視図である。
【図６】溝部５、固定金具６、ネット２等の関連構成を示す一部切欠断面図である。
【符号の説明】
【００２９】
１．．．．コンクリート壁面
２ ．．．． ネット
３．．．． 接着剤層
４．．．．タイル
５．．．．溝部
６ ．．．． 固定金具
７ ．．．． アンカーボルト
【図１】
2015137516.tif 000003
【図２】
2015137516.tif 000004
【図３】
2015137516.tif 000005
【図４】
2015137516.tif 000006
【図５】
2015137516.tif 000007
【図６】
2015137516.tif 000008